(57)【要約】      （修正有）【課題】とじた状態のとき、パンチ穴が塞がっていないために、そのままパイプ式ファイルなどにとじこむことができ、色がついていれば書類の識別が容易な紙とじ具を提供する。【解決手段】薄い素材からできているテープやフィルムなどをループ状にして固定する方法でパンチ穴を利用して紙をとじたとき、とじられた書類にはパンチ穴が残るので、この方法でとじられた書類はとじたままでパイプ式ファイルなどにとじこむことができる。また、テープ、シールなどに着色、印刷を施したり、メモの書き込みができるようにすることにより書類を容易に識別できるようになる。【選択図】図５
2008254292.tif 000002
【特許請求の範囲】
【請求項１】
テープを長手方向でみて、片方の端と他方の端同士を重ね合わせ、
くっつけてループ状に固定するための手段として、重なり合うところに
接着部などを持つことを特徴とする紙とじ具。
【請求項２】
テープを長手方向でみて、片方の端が幅広になっていて、片方の端と
他方の端同士を重ね合わせ、くっつけてループ状に固定するための手段
として、重なり合うところに接着部などを持つことを特徴とする紙とじ具。
【請求項３】
テープを長手方向でみて、どちらの端にもテープ同士ではループ状に固定
するための接着部や接合部を持たないテープと
このテープをループ状にして固定するための粘着性や接合性のあるシールとの
２ピースで構成されることを特徴とする紙とじ具。
【請求項４】
テープ部分と幅広部分を十文字型にしたものでテープ部分をループ状にして紙をとじ、幅広部分をテープが貫通した方にぐるっと廻してテープを固定することにより、幅広部分が簡易な背表紙のようにできる紙とじ具。
【請求項５】
請求項１または請求項２または請求項３または請求項４の紙とじ具で、テープおよび
固定用のシールなどに着色を施したり、印刷を施したり、メモなどを書き込む
ことができるようにすることで書類の識別を容易にすることを特徴とする紙とじ具。
【発明の詳細な説明】
【技術分野】
【０００１】
本発明は、パイプ式ファイルなどにとじこむためのパンチ穴を利用して紙をとじ、とじたままでパイプ式ファイルなどにとじこむことができる紙とじ具に関するものである。
【背景技術】
【０００２】
従来から、紙とじ用のパンチ穴を利用しない紙とじ具として、ホッチキス、クリップ等が使われている。
紙とじ用のパンチ穴を利用するとじ具として、リング、とじひも、紙とじ用ファスナー等が使われている。また、特許文献１に開示されているものがある。
【特許文献１】特開２０００−２６３９８３号公報 また、パンチ穴については参考文献１に事務用あなあけ器として規定されている。
【非特許文献１】JIS S 6041-1982
【発明の開示】
【発明が解決しようとする課題】
【０００３】
しかし、従来のようなとじ具の場合、ホッチキスやクリップはファイルするためのパンチ穴を利用しないので、とじたままファイルすることができるが、とじられる書類の厚みが増すととじる事ができない。また、ファイルするためのパンチ穴を利用するリングやとじひも、紙とじ用ファスナーは、とじられる書類の厚みが増してもとじる事ができるが、パンチ穴を塞いでしまうので、とじたままではパイプ式ファイルなどにとじこむことができない。 
本発明は、パンチ穴を利用して紙をとじた時、そのままではパイプ式ファイルなどにとじこむことができないという不都合を解決する事を課題とする。 
また、とじられていない書類をファイルから抜き出すと、散逸したり散乱したりするので、改めて紙とじ用ファスナーなどでとじ直すことが必要になるが不便である。  このような不都合を解決する事を課題とする。
また、着色されたリングや紙とじ用ファスナーなどを使用すると、書類の識別が容易であるので、広く行われているが、いざこの書類をパイプ式ファイルなどにとじこむときには、とじていたリングや紙とじ用ファスナーを取り外さざるを得ない。
このため、パイプ式ファイルなどにとじこむと書類の識別が困難になっている。  このような不都合を解決する事を課題とする。
【課題を解決するための手段】
【０００４】
この課題を解決するための請求項１または請求項２または請求項３または請求項４の発明は、紙とじ用テープの一端または両端に、接着材を塗布しておく等の手段を施す事により、このテープをループ状に固定することができるもので、厚みのある書類などでも従来のパンチ穴を利用してとじることができ、とじたままでパイプ式ファイルなどにとじこむことができる。
【０００５】
また、請求項２の発明は、テープの片側を幅広にすることで、他方の端を接着しても余る部分ができる。  この余った部分で他方の端を包むように接着、接合しても良いし、紙にも接着できるようであれば、とじる対象の紙に接着して紙と共にテープの固定を確実にしても良い。
【０００６】
また、請求項３の発明は、紙とじテープとこのテープをループ状に固定するための粘着シールや融着シールとの２ピースで構成される紙とじ具で、厚みのある書類でもパンチ穴を利用してとじることができ、とじたままでパイプ式ファイルなどにとじこむことができる。
【０００７】
また、請求項４の発明は、テープ部分と幅広部分を十文字型にしたものでテープ部分をループ状にして紙をとじ、幅広部分をテープが貫通した方にぐるっと廻してテープを固定することにより、幅広部分が簡易な背表紙のようにできる。
【０００８】
また、請求項５の発明は、紙とじテープ、固定用のテープ、シールに着色、印刷を施したり、メモの書き込みができるようにすることにより書類を容易に識別できるようにした紙とじ具で、パイプ式ファイルなどから取り外しても元に戻すことが簡単にできる。
【０００９】
請求項１、請求項２、請求項３、請求項４の発明において紙をとじるためにテープをループ状にくっつけて固定するためには接着などの手段が必要だが、これ以外に、接合、溶着、融着、かしめ、嵌合などのいずれの手段でも良い。
【００１０】
また、請求項１、請求項２、請求項３、請求項４の発明において、素材は、テープ、フィルム、金属テープ、薄いプラスチックなどで作ることができる。
【発明の効果】
【００１１】
本発明により、紙とじ用ファスナーなどでパンチ穴を利用して紙をとじた場合、そのままではパンチ穴が塞がっているために、パイプ式ファイルなどにとじこむことができないという不都合はおきない。
【００１２】
また、本発明により、とじられている書類をそのままパイプ式ファイルなどから取り外すことになるので、書類が散逸したり散乱したりしない。  従って、改めて紙とじ用ファスナーなどでとじ直すことが必要であるという不都合はおきない。
【００１３】
また、着色されたリングや紙とじ用ファスナーなどを使用すると、書類の識別が容易であるので、広く行われているが、いざこの書類をパイプ式ファイルなどにとじこむときには、とじていたリングや紙とじ用ファスナーを取り外さざるを得ない。
このため、パイプ式ファイルなどにとじこむと書類の識別が困難になっている。このような不都合は、本発明の、着色を施したり、印刷を施したり、メモなどを書き込むことができるテープおよび固定用のシールなどを使用した紙とじ具で書類をとじることによりおきない。
【発明を実施するための最良の形態】
【００１４】
図１は、テープを長手方向でみて、片方の端に接着部を持った紙とじ具である。
同図に示すように、片方の端に接着部をもつことにより、テープ、またはフィルムをループ状に固定することができ、紙をとじる事ができる。また、テープ、またはフィルムが長い場合は、接着部の他方の余分な部分をはさみ等で切り落とすことにより、任意の厚さの紙や書類に対応できる。短い場合は、テープ、またはフィルムを長くすれば対応できる。また、テープ、またはフィルムは充分に薄いため、紙をとじた後でも、パイプ式ファイルなどに書類をとじこむことができる。 
【００１５】
図２は、テープを長手方向でみて、片方の端が幅広になっていて、その幅広部分に接着部を持った紙とじ具である。
同図に示すように、片方を幅広にし接着部をもつことにより、テープ、またはフィルムをループ状に固定することができ、また、幅広部を折り返すなどして、テープを接着すれば、図１に比べ、しっかり固定した形で紙をとじる事ができる。
また、テープ、またはフィルムが長い場合は、接着部の他方の余分な部分をはさみ等で切り落とすことにより、任意の厚さの紙や書類に対応できる。
短い場合は、テープ、またはフィルムを長くすれば対応できる。
また、テープ、またはフィルムは充分に薄いため、紙をとじた後でも、パイプ式ファイルなどに書類をとじこむことができる。 
【００１６】
図３は、テープを長手方向でみて、どちらの端にも接着部をもたないテープと、このテープをループ状にして固定するためのシールとの２ピースで構成された紙とじ具である。同図に示すように、両端に接着部をもたないテープをループ状にして紙をとじた場合でも、シールを利用することにより、紙をしっかりとじる事ができる。
また、テープ、またはフィルムが長い場合は、接着部の他方の余分な部分をはさみ等で切り落とすことにより、任意の厚さの紙や書類に対応できる。
短い場合は、テープ、またはフィルムを長くすれば対応できる。
また、テープ、またはフィルムは充分に薄いため、紙をとじた後でも、パイプ式ファイルなどに書類をとじこむことができる。
【００１７】
図４は、テープ部分と幅広部分を十文字型にしたものでテープ部分をループ状にして紙をとじ、幅広部分をテープが貫通した方にぐるっと廻してテープを固定することにより、幅広部分が簡易な背表紙のようにできる紙とじ具である。
同図に示すように、両端に接着部をもたないテープをループ状にして紙をとじた場合でも、幅広部に接着部を持ったテープ、またはフィルムを使用することにより、ループ状のテープを固定し、更に紙の背表紙の部位やテープの貫通側も固定するので、しっかり紙をとじることができる。
【００１８】
また、テープ、またはフィルムが長い場合は、接着部の他方の余分な部分をはさみ等で切り落とすことにより、任意の厚さの紙や書類に対応できる。
短い場合は、テープ、またはフィルムを長くすれば対応できる。
また、テープ、またはフィルムは充分に薄いため、紙をとじた後でも、パイプ式ファイルなどに書類をとじこむことができる。
【００１９】
また、接着部として用いた縦方向のテープ、またはフィルムの裏面に着色を施したり、印刷を施したり、メモなどを書き込むことにより、とじた書類を識別することができる。
【産業上の利用可能性】
【００２０】
本発明に係る紙とじ具は、工業的に量産する事が可能であるため、産業上の利用可能性を有する。
【図面の簡単な説明】
【００２１】
【図１】テープを長手方向でみて、片方の端に接着部を持った紙とじ具の平面図である。
【図２】テープを長手方向でみて、片方の端が幅広になっていて、その幅広部分に接着部を持った紙とじ具の平面図である。
【図３】テープを長手方向でみて、どちらの端にも接着部をもたないテープと、このテープをループ状にして固定するためのシールとの２ピースで構成された紙とじ具の平面図である。
【図４】テープ部分と幅広部分を十文字型にしたものでテープ部分をループ状にして紙をとじ、幅広部分をテープが貫通した方にぐるっと廻してテープを固定することにより、幅広部分が簡易な背表紙のようにできる紙とじ具の平面図である。
【図５】図５〜図８は、図４に示した紙とじ具を用い、書類をとじる一例を順を追ってあらわした図である。図５は、テープをコの字型に曲げ、とじる書類のパンチ穴に通した様子を示す。
【図６】図５〜図８は、図４に示した紙とじ具を用い、書類をとじる一例を順を追ってあらわした図である。図６は、紙をとじるのに余分な長さとなったテープ部分をはさみで切り落とす様子を示す。
【図７】図５〜図８は、図４に示した紙とじ具を用い、書類をとじる一例を順を追ってあらわした図である。図７は、書類をとじるためのテープ部分を接着する接着部の、あまった部分をはさみで切り落とす様子を示す。
【図８】図５〜図８は、図４に示した紙とじ具を用い、書類をとじる一例を順を追ってあらわした図である。図８は、書類を図４に示した紙とじ具でとじた様子を示す。このとき、パンチ穴は使用できる大きさで残っているため、パイプ式ファイルなどに、そのまま書類をとじこむ事ができる。
【符号の説明】
【００２２】
1    テープ
2    テープ
3    テープの幅広部
4    テープ
5    シール
6    テープ、またはフィルムなど
7    テープ、またはフィルムなどの幅広部
8    テープ、またはフィルムなどの幅広部
A    接着部
B    書類
C    はさみ
【図１】
2008254292.tif 000003
【図２】
2008254292.tif 000004
【図３】
2008254292.tif 000005
【図４】
2008254292.tif 000006
【図５】
2008254292.tif 000007
【図６】
2008254292.tif 000008
【図７】
2008254292.tif 000009
【図８】
2008254292.tif 000010